(57)【特許請求の範囲】
【請求項１】
給紙装置に装填するための分離爪式の給紙カセットであって、
用紙束を載置し、揺動可能に支持された押上板と、
上記押上板を上方に付勢するための付勢手段と、
上記押上板上に載置された上記用紙束の上面の上限揺動位置を規制するための第１規制部材と、
１回転で上記用紙束から用紙を取り出し、給紙装置の用紙搬送装置までこれを送り出すための給紙ローラーと、
用紙の一枚サバキを可能とするため、上記押上板と同じ方向に揺動可能であり、上記用紙束の上面のコーナー近傍においてこの用紙束を掛け止める分離爪と、
を備えた給紙カセットにおいて、
この給紙カセットは、さらに、
上記給紙ローラーとともに回転可能なカムと、
上記分離爪と係合することによりこれを押し上げる方向に付勢されているとともに、上記カムと係合したときこの付勢に逆らって揺動されるカムフォロワー付きレバーと、
を備えていることを特徴とする給紙カセット。
【請求項２】
請求項１に記載された給紙カセットにおいて、
上記分離爪は、自重により上記カムフォロワー付きレバーと係合可能であること
を特徴とする給紙カセット。
【請求項３】
請求項１又は請求項２に記載された給紙カセットにおいて、
この給紙カセットは、更に、第２規制部材を有しており、この第２規制部材によって、上記カムフォロワー付きレバーの付勢される方向の揺動が規制されていること
を特徴とする給紙カセット。
【請求項４】
請求項３に記載された給紙カセットにおいて、
上記第２規制部材は、上記第１規制部材によって規制された用紙束上面の上記上限揺動位置よりも上方であって、上記分離爪と上記用紙束上面とが上下方向に関して離間するように、上記カムフォロワー付きレバーの揺動を規制するものであること
を特徴とする給紙カセット。
【請求項５】
請求項１から請求項４までのいずれかに記載された給紙カセットにおいて、
上記カムは、上記カムフォロワー付きレバーが、上記分離爪の揺動範囲の下限を超えてこの分離爪との係合が絶たれる位置まで、上記カムフォロワー付きレバーを揺動させること
を特徴とする給紙カセット。
【請求項６】
請求項５に記載された給紙カセットにおいて、
上記分離爪と上記カムフォロワー付きレバーとの係合が絶たれたとき、上記分離爪は自重で上記用紙束上面に掛止すること
を特徴とする給紙カセット。
【請求項７】
請求項１から請求項６までのいずれかに記載された給紙カセットにおいて、
上記給紙ローラーの回転と連動して、
給紙動作時には上記カムフォロワー付きレバーとの係合が絶たれることによって上記分離爪が上記用紙束の上面に掛止し、
非給紙動作時には上記カムフォロワー付きレバーとの係合によって上記分離爪が上記用紙束の上面から離間すること
を特徴とする給紙カセット。
【請求項８】
請求項１から請求項７までのいずれかに記載された給紙カセットにおいて、
上記給紙カセットは、更に、この給紙カセットが装填される給紙装置から、この給紙カセットが動作するための動力を受け取る動力受取装置を備えていること
を特徴とする給紙カセット。
【請求項９】
請求項８に記載された給紙カセットにおいて、
上記動力受取装置によって受け取る動力は、上記カムを駆動するための動力であること
を特徴とする給紙カセット。
【請求項１０】
請求項９に記載された給紙カセットにおいて、
上記動力受取装置によって受け取る動力は、更に、上記給紙ローラーを駆動するための動力であること
を特徴とする給紙カセット。
【請求項１１】
請求項１から請求項１０までのいずれかに記載された給紙カセットが装填される給紙装置。
【請求項１２】
請求項１１に記載された給紙装置において、
この給紙装置は、上記分離爪の用紙束上面への掛止とこれからの離間を行うための動力を上記給紙カセットに供給するための動力供給装置を備えていること
を特徴とする給紙装置。
【請求項１３】
請求項１２に記載された給紙装置において、
上記動力供給装置は、更に、上記給紙ローラーを駆動するための動力を上記給紙カセットに供給するものであること
を特徴とする給紙装置。
【発明の詳細な説明】
【０００１】
【発明の属する技術分野】
本発明は、複写機、プリンタ、ＦＡＸ等の画像形成装置に使用される給紙カセットとそれを備えた給紙装置に関するものである。
【０００２】
【従来の技術】
給紙カセットに収容された用紙束を押上板により上方に押上げ、前部両側に配置された分離爪により掛止めする分離爪給紙方式の給紙装置においては、分離爪が用紙束上面におけるコーナー部を確実に掛止めする必要がある。
【０００３】
図１２は従来の給紙装置における分離爪の用紙爪外れ状態を示す説明図である。用紙２２と分離爪４Ａ先端の掛止め時に、用紙２２が爪から外れて分離爪４Ａに乗り上げた状態を示している。図１３は従来の給紙装置における用紙束のループ変形した状態を示す説明図である。分離爪４Ａの爪掛かり部で用紙がループ状の歪みを起して用紙間に隙間ができ、浮き上がっている。その状態で給紙すると、サバキ不良を起し、スキュー、重送、ジャム等の給紙不良を起す恐れがある。
【０００４】
従来の給紙装置では、列えば、特開平５−２４６９９号公報、特開平１０−３５８９８号公報に示されるように、用紙束補給時に押上板を下死点に固定した際に、分離爪を用紙積載上限位置より高い位置に揺動して、用紙面に対し離間して用紙束を収容補給することにより用紙が爪掛りから外れるのを防止するという技術が提案されている。
【０００５】
【発明が解決しようとする課題】
しかし、上記の従来技術では用紙束補給時の操作性を向上させて、オペレーターのセットミスによる爪外れを防ぐことに主眼がおかれている。実際の使用では下記に述べるように、ジャム処理などで給紙カセットの出し入れを行う場合や、過酷な使用条件により、用紙束補給以外にも爪外れを起すことがあり、従来技術ではこれを回避することは困難である。
【０００６】
爪外れは給紙カセットの装着時の衝撃で起きる可能性があり、分離爪４Ａが用紙に掛止め接触した状態で衝撃を加えると、分離爪４Ａは用紙の暴れを抑え切れず、用紙は爪から外れ乗り上げてしまう。特に給紙カセットの挿入力が強かったり、用紙の重量が重い場合は、衝撃力も増して用紙は爪外れを起こし図１２に示すような状態になりやすい。
【０００７】
また、分離爪４Ａが正常に掛止めされたとしても、紙種、過酷な環境等の悪条件下で給紙を繰り返すうちに、サバキの瞬間に用紙隅にできるループがサバキ完了後も解消されないため、図１３に示すようにループ溜まりとなって蓄積することがある。そのような場合には、爪掛かりが不安定になり、最悪の場合には給紙不良を引き起こすことがある。
【０００８】
本発明は、上記問題に鑑み、用紙束重量が大きくても、更に衝撃的な挿入を行ったとしても給紙不良を起こしにくい許容性のある分離爪方式の給紙装置を提供することを課題とする。
【０００９】
【課題を解決するための手段】
上記課題は以下の手段によって解決される。すなわち、第１番目の発明の解決手段は、給紙装置に装填するための分離爪式の給紙カセットであって、用紙束を載置し、揺動可能に支持された押上板と、上記押上板を上方に付勢するための付勢手段と、上記押上板上に載置された上記用紙束の上面の上限揺動位置を規制するための第１規制部材と、１回転で上記用紙束から用紙を取り出し、給紙装置の用紙搬送装置までこれを送り出すための給紙ローラーと、用紙の一枚サバキを可能とするため、上記押上板と同じ方向に揺動可能であり、上記用紙束の上面のコーナー近傍においてこの用紙束を掛け止める分離爪と、を備えた給紙カセットにおいて、この給紙カセットが、さらに、上記給紙ローラーとともに回転可能なカムと、上記分離爪と係合することによりこれを押し上げる方向に付勢されているとともに、上記カムと係合したときこの付勢に逆らって揺動されるカムフォロワー付きレバーと、を備えているものである。
【００１０】
第２番目の発明の解決手段は、第１番目の発明の給紙カセットにおいて、上記分離爪が、自重により上記カムフォロワー付きレバーと係合可能とされたものである。
【００１１】
第３番目の発明の解決手段は、第１番目又は第２番目の発明の給紙カセットにおいて、更に、第２規制部材を有しており、この第２規制部材によって、上記カムフォロワー付きレバーの付勢される方向の揺動が規制されている。
【００１２】
第４番目の発明の解決手段は、第３番目の発明の給紙カセットにおいて、上記第２規制部材が、上記第１規制部材によって規制された用紙束上面の上記上限揺動位置よりも上方であって、上記分離爪と上記用紙束上面とが上下方向に関して離間するように、上記カムフォロワー付きレバーの揺動を規制するものである。
【００１３】
第５番目の発明の解決手段は、第１番目から第４番目までの発明の給紙カセットにおいて、上記カムが、上記カムフォロワー付きレバーが、上記分離爪の揺動範囲の下限を超えてこの分離爪との係合が絶たれる位置まで、上記カムフォロワー付きレバーを揺動させるものである。
【００１４】
第６番目の発明の解決手段は、第５番目の発明の給紙カセットにおいて、上記分離爪と上記カムフォロワー付きレバーとの係合が絶たれたとき、上記分離爪は自重で上記用紙束上面に掛止するものである。
【００１５】
第７番目の発明の解決手段は、第１番目から第６番目までの発明の給紙カセットにおいて、上記給紙ローラーの回転と連動して、給紙動作時には上記カムフォロワー付きレバーとの係合が絶たれることによって上記分離爪が上記用紙束の上面に掛止し、非給紙動作時には上記カムフォロワー付きレバーとの係合によって上記分離爪が上記用紙束の上面から離間するものである。
【００１６】
第８番目の発明の解決手段は、第１番目から第７番目までの発明の給紙カセットにおいて、上記給紙カセットは、更に、この給紙カセットが装填される給紙装置から、この給紙カセットが動作するための動力を受け取る動力受取装置を備えていること
を特徴とする給紙カセットである。
【００１７】
第９番目の発明の解決手段は、第１番目から第８番目までの発明の給紙カセットにおいて、上記動力受取装置によって受け取る動力は、上記カムを駆動するための動力であることを特徴とする給紙カセットである。
【００１８】
第１０番目の発明の解決手段は、第９番目の発明の給紙カセットにおいて、上記動力受取装置によって受け取る動力は、更に、上記給紙ローラーを駆動するための動力であることを特徴とする給紙カセットである。
【００２３】
第１１番目の発明の解決手段は、第１番目から第１０番目までの発明の給紙カセットが装填される給紙装置である。
【００２４】
第１２番目の発明の解決手段は、第１１番目の発明の給紙装置において、この給紙装置は、上記分離爪の用紙束上面への掛止とこれからの離間を行うための動力を上記給紙カセットに供給するための動力供給装置を備えていることを特徴とする給紙装置である。
【００２５】
第１３番目の発明の解決手段は、第１２番目の発明の給紙装置において、上記動力供給装置は、更に、上記給紙ローラーを駆動するための動力を上記給紙カセットに供給するものであることを特徴とする給紙装置である。
【００２６】
【発明の実施の形態】
本発明は、複写機、プリンタ、ＦＡＸ等の画像形成装置に使用される給紙カセットを備えた給紙装置に関するものであり、その具体的構造を図１〜図３について説明する。図１は本発明の給紙装置に用いられる給紙カセット１の上面図であり、図３はこの給紙カセットの側面断面図である。なお、この図の給紙カセット１は、ここから用紙が搬送されて行く方向、つまり、図面左の方向を前、前部あるいは前方とし、図面右側の方向を後、後部あるいは後方とする。また、給紙カセット１は図面上（図１）で見て上方から下方に向かって画像形成装置に装填される。
【００２７】
用紙束を収容する給紙カセット１は、両サイド部にサイド規制板２Ａ、２Ｂが設けられ、後部には後端規制板３が設けられている。これらの規制板は、レバー等によりその位置の調整、固定ができるように構成されている。給紙カセット１の底部には、その上面に用紙束を載置する押上板５が、後端部を枢支点として揺動可能に支持されている。
【００２８】
給紙カセット１の前方の上方には、給紙ローラー軸７が回転自在に支持されており、給紙ローラー軸７には、その中央部に用紙上限規制コロ９が、その両側に半円状（扇形）の給紙ローラー８、８が固定されている。給紙カセット１の前方両側には、押上板５上に載置された用紙束の先端コーナー部を掛止めして用紙の１枚サバキを行うための分離爪４Ａ、４Ｂが設けられている。分離爪４Ａ、４Ｂは前記押上板５と同方向に揺動可能とされている分離爪支持レバー４に固定されている。
【００２９】
給紙ローラー軸７の両端部には、分離爪支持レバー４の昇降を制御するカム１０が、また、一方の端部には更に複写機等の本体に設けられた駆動系と連結することにより給紙ローラー軸７を回転駆動する給紙欠歯ギヤ１４が固定されている。
【００３０】
給紙カセット１の底部に後端部を枢支され揺動可能に設けられた押上板５は、前端部の底部に固定された押上バネ６によりその前方部が押し上げられている。前端上方に分離爪４Ａ、４Ｂが設けられた分離爪支持レバー４が軸４Ｈにより枢支され、押上板５と同方向に揺動可能とされている。
【００３１】
給紙カセット１の側面板には軸１１Ｈによりカムフォロワー付きレバー１１が枢支されており、該カムフォロワー付きレバー１１は押上板５と同方向に揺動可能であり、ピン１１Ｐ、１２Ｐに掛け止めされたねじりコイルバネ１２の張力（ねじり付勢力）により常に先端部が上方に付勢されている。
【００３２】
カムフォロワー付きレバー１１の上面は前記カム１０に当接するカムフォロワー面が形成され、前方端部には、水平方向に水平ピン１１Ｋが植設されている。前記カムフォロワー付きレバー１１の水平ピン１１Ｋは、分離爪支持レバー４の前端垂直部の前方に突設された突接子４Ｋに下から当接し、分離爪支持レバー４の自重を受け止めている。したがって、カムフォロワー付きレバー１１にカム１０が接触していない図３の状態においては、カムフォロワー付きレバー１１はねじりコイルバネ１２の張力によりその先端の水平ピン１１Ｋを上方に（図３矢印ａ方向に）回転させ、突接子４Ｋを介して分離爪支持レバー４をその自重に抗して押し上げている。
【００３３】
分離爪支持レバー４の前端垂直部の前方に突設された突接子４Ｋは、給紙カセット１の壁面に縦長に開設されたスリットに挿入され、スリットの上端に突接子４Ｋが当接することあるいは給紙カセットの本体の一部に設けられた規制部材１Ｓにより分離爪４Ａ、４Ｂの上限が規制されている。
【００３４】
図５は、給紙動作中以外の給紙待機中の用紙束と分離爪４Ａ、４Ｂの配置関係を示したものである。図３に示されているように、分離爪４Ａ、４Ｂはカムフォロワー付きレバー１１の押上げにより押し上げられ、図５に示されるように分離爪支持レバー４の突接子４Ｋが規制部材１Ｓあるいはスリットの上端に当接して、上限位置に保たれている。
【００３５】
一方、給紙ローラー軸７に取り付けられている給紙ローラー８は半円状（扇形）をなしており、現在半円状部分が上側にきている（図３）。したがって、待機中の用紙は、均一円形状の用紙上限規制コロ９に接触し、給紙ローラー８には接触しない。そのため、分離爪４Ａ、４Ｂと用紙束上面２２の間にはｄｌの空間（図５参照）が確保されている。この空間ｄｌがあるため、この状態で、給紙カセットの抜き差し等で衝撃力が加えられても、分離爪が高い位置にまであるため用紙が外れてこれに乗り上げるようなことはない。
【００３６】
次に、複写機等の本体装置に設けられた駆動系と、給紙カセット１に設けられた駆動系との連結関係を図２、図４により説明する。図２はこの連結関係を説明するための拡大上面図であり、本体駆動系と給紙カセットの一部が示されている。
【００３７】
複写機等の本体２１に設けられている本体２段ギヤ１６と、前記給紙カセット１の前方上方に支持された給紙ローラー軸７の端部に固定された給紙欠歯ギヤ１４との間欠的な連結により給紙ローラー８等が回転駆動される。
【００３８】
図４は連結関係を説明するための側面断面図である。画像形成装置の本体側には、用紙を搬送するための搬送路に対向して配置された搬送ローラー対２０が設けられており、該搬送ローラー対２０はその同軸に固定された搬送ローラーギヤ１９が本体２段ギヤ１６と噛合することにより回転駆動される。更に本体側には、本体２段ギヤ１６を回転駆動する本体駆動ギヤ１７と、前記本体２段ギヤ１６に噛合し、給紙カセット１の給紙欠歯ギヤ１４と間欠的に連結するための本体アイドルギヤ１８が設けられている。給紙カセット１を装填するとき、給紙欠歯ギヤ１４の欠歯部空間が本体アイドルギヤ１８の位置に来るようにされている。このため、これらのギヤの歯の側面同士が衝突し、給紙カセット１や画像形成装置の部品に狂いや破損が生じるようなことはない。
【００３９】
前記給紙ローラー軸７の端部に固定された給紙欠歯ギヤ１４は、図４、図６に示されるように、円周上の歯の一部が切欠かれており、その側面には、欠歯部と同位置に段差部１４Ｑが形成されている。段差部１４Ｑには、給紙欠歯ギヤ１４の回転を阻止（後述する）するための掛け止め面が形成されている。更に、給紙欠歯ギヤ１４の側面にはピン１４Ｐが植設され、該ピン１４Ｐには、その一端が給紙カセット１のケースに固定された引張りコイルバネ１５が係止されている。
【００４０】
一方、給紙カセット１の側壁の前記給紙欠歯ギヤ１４に対向する位置にフラッパーソレノイド１３が設けられ、そのフラッパー１３Ｆの先端が前記給紙欠歯ギヤ１４の段差部１４Ｑの掛け止め面に掛止めされるようになっている。フラッパーソレノイド１３は、そのフラッパー１３Ｆが引張りコイルバネ１３Ｓの引張り力によりその先端が上方に回動され、その先端掛止部が前記給紙欠歯ギヤ１４の段差部１４Ｑの掛け止め面に掛止めされることにより前記給紙欠歯ギヤ１４の回転を阻止している（図４あるいは図５の状態）。
【００４１】
フラッパーソレノイド１３に通電すると、引張りコイルバネ１３Ｓの引張り力に抗してフラッパー１３Ｆが吸引され給紙欠歯ギヤ１４の段差部１４Ｑの掛止めが解除されるので、給紙欠歯ギヤ１４は引張りコイルバネ１５の引張り力により回転され、給紙欠歯ギヤ１４のギヤ部が、本体側のアイドルギヤ１８と噛合する。
【００４２】
図６、図７および図８は主として給紙欠歯ギヤ１４とフラッパーソレノイド１３にかかわる動作を説明するための動作説明図である。また、図９、図１０および図１１は、主としてカム１０、カムフォロワー付きレバー１１および分離爪４Ｂ（および４Ａ）の動作を説明するための動作説明図である。
【００４３】
待機時には、給紙欠歯ギヤ１４はその段差部１４Ｑの掛け止め面がフラッパーソレノイド１３のフラッパー１３Ｆに掛止めされており、引張りコイルバネ１５の引張り力に抗して図６の位置に停止している。給紙欠歯ギヤ１４の本体駆動側の本体アイドルギヤ１８と対向する位置は欠歯部となっているので、本体アイドルギヤ１８の駆動力は伝達されない。
【００４４】
給紙カセット１内では図３のように、カム１０は下弦月の状態で待機しており、カムフォロワー付きレバー１１には接触していない。したがって、カムフォロワー付きレバー１１はピン１１Ｐ、１２Ｐに掛止めされたねじりコイルバネ１２の張力（バネ力）により図３の矢印ａ方向に回転され、カムフォロワー付きレバー１１の一端に植設された水平ピン１１Ｋにより、分離爪支持レバー４の突接子４Ｋを矢印ａ方向に持ち上げる。これにより、分離爪４Ａ、４Ｂは持ち上がっている。
【００４５】
一方、給紙ローラー軸７に取り付けられている給紙ローラー８は、図３に示されるように半円状（扇形）をなしているため、下側には存在していない。したがって、用紙は、給紙ローラー８には接触せず、均一円形状の用紙上限規制コロ９によりその上面がこれに接触しているので、分離爪４Ａ、４Ｂと用紙束上面２２の間には図５に示されるように空間ｄｌが確保されている。
【００４６】
この状態では分離爪４Ａ、４Ｂと用紙とは非接触となり、給紙カセット１の抜き差し等で生じる衝撃力で用紙束が暴れても、爪はずれ（分離爪から用紙が乗り上げる現象）が起きる恐れはない。なお、当然ながら給紙カセット１が装填されていないときにもこの状態にある。
【００４７】
次に、給紙が開始された場合の動作を説明する。図６の状態で、給紙が指令されるとフラッパーソレノイド１３に通電され、フラッパー１３Ｆが引張りコイルバネ１３Ｓの引張り力に抗して吸引され（矢印ｂ）、給紙欠歯ギヤ１４の段差部１４Ｑへの掛止めが解除される。これにより給紙欠歯ギヤ１４は回転可能となり、引張りコイルバネ１５の引張り力により、ピン１４Ｐを引き込み、給紙欠歯ギヤ１４は矢印ｃの方向に回転して本体アイドルギヤ１８と噛合する（図７の状態）。
【００４８】
給紙欠歯ギヤ１４は本体アイドルギヤ１８と噛合するすることにより、回転駆動力が伝達されて、給紙ローラー軸７が回転され、同軸上のカム１０は矢印ｄ方向（図９）に回転する。カム１０はこの回転によりカムフォロワー付きレバー１１の上面カム部を押し下げるので、カムフォロワー付きレバー１１は矢印ｅ方向（図９）に回動する。
【００４９】
カムフォロワー付きレバー１１が矢印ｅ方向（図９）に回動することにより、カムフォロワー付きレバー１１の水平ピン１１Ｋが降下するので、分離爪支持レバー４の持上げが解除される。
【００５０】
この時、カムフォロワー付きレバー１１の下死点は分離爪支持レバー４の下死点よりも隙間ｄ２分だけ下に維持される（図９）。分離爪支持レバー４はその自重により支点４Ｈを中心に反時計方向に回動し、分離爪支持レバー４の先端の分離爪４Ａ、４Ｂは、分離爪支持レバー４の自重により用紙束２２上面のコーナー部に掛止めされる。分離爪４Ａ、４Ｂの自重による掛止めは、半円状（扇形）の給紙ローラー８が回転し、給紙部分が用紙束２２上面に接する前に完了する。
【００５１】
給紙ローラー軸７の回転により給紙ローラー８が回転され、用紙がピックアップされ、分離爪４Ａ、４Ｂにより用紙の１枚サバキが行われる。この間もカム１０はカムフォロワー付きレバー１１を下死点位置に押さえ続ける（図１０）。サバかれた用紙が搬送ローラー対２０に噛み込まれ、用紙が給紙ローラー８から離れると、給紙が完了する。給紙が完了する位置にカム１０が回転すると、リフトが少ない位置となり、カムフォロワー付きレバー１１との係合が解除されるので、カムフォロワー付きレバー１１はねじりコイルバネ１２の張力により支点１１Ｈを中心として時計方向に回動され、分離爪支持レバー４を押し上げる。これにより、再び分離爪４Ａ、４Ｂが持上げられ、用紙束２２上面への掛止めが解かれる（図１１）。
【００５２】
分離爪４Ａ、４Ｂの掛止めが解かれると、図５の状態に戻り、用紙上限規制コロ９により分離爪４Ａ、４Ｂと用紙上面２２の間に空間ｄｌが生じるので、サバキの瞬間に分離爪掛り部で起こる用紙のループ変形も正常に復元する。このように給紙毎に空間ｄｌが作られ、ループ変形がその都度解消されるので、連続給紙時に安定したサバキ性能を確保することができる。
【００５３】
フラッパーソレノイド１３は給紙の指令があったときしばらくの間だけＯＮにされる、通常はＯＦＦである。フラッパーソレノイド１３のフラッパー１３Ｆは引張りコイルバネ１３Ｓの引張り力により、たえず上方に付勢されている。そして、給紙欠歯ギヤ１４の欠歯部が本体アイドルギヤ１８の位置に来ると、噛合いが外れるので、給紙欠歯ギヤ１４が引張りコイルバネ１５の引張り力により回転されて、フラッパー１３Ｆが再び給紙欠歯ギヤ１４の段差部１４Ｑの掛け止め面に掛止めされ、再び待機位置に戻る（図８）。なお、給紙欠歯ギヤ１４は給紙ローラー軸７の端に設けられており、ピン１４Ｐはこの給紙欠歯ギヤ１４の側面に設けられているため、引張りコイルバネ１５が給紙ローラー軸７と干渉することはない。
【００５４】
【発明の効果】
以上説明したように、本発明は、給紙ローラーの回転に連動するカムがカムフォロワー付きレバーを揺動させ、給紙作動時はカムフォロワー付きレバーの付勢力のない分離爪は用紙上面に自重掛止めされて１枚サバキが行われ、非給紙動作時はカムフォロワー付きレバーの付勢力で分離爪と用紙が離間されるので、用紙束の分離爪外れやループ変形等の爪掛かり不良を防ぎ、安定した給紙動作が可能になる。
【００５５】
また、本発明は、給紙ローラーの給紙動作に連動させて、１回の給紙動作毎に分離爪を昇降させるカム機構を用いることにより、用紙束の分離爪外れやループ変形等の爪掛かり不良を確実に防ぐことができる。
【図面の簡単な説明】
【図１】  本発明の実施例の給紙装置の給紙カセットの上面図である。
【図２】  本発明の実施例の給紙装置の本体と給紙カセットの連結関係を説明するための上面図。
【図３】  本発明の実施例の給紙装置の給紙カセットの側面断面図である。
【図４】  本発明の実施例の給紙装置の本体と給紙カセットの駆動の連結関係を説明するための側面断面図である。
【図５】  本発明の実施例の給紙装置の給紙カセットの用紙上限規制を示し、非給紙動作中の用紙束と分離爪の関係を説明するための側面断面図である。
【図６】  本図を含む図６から図８によって、実施例の給紙装置における主として給紙欠歯ギヤとフラッパーソレノイドにかかわる動作を説明するための動作説明図である。
【図７】  本図を含む図６から図８によって、実施例の給紙装置における主として給紙欠歯ギヤとフラッパーソレノイドにかかわる動作を説明するための説明図である。
【図８】  本図を含む図６から図８によって、実施例の給紙装置における主として給紙欠歯ギヤとフラッパーソレノイドにかかわる動作を説明するための説明図である。
【図９】  本図を含む図９から図１１によって実施例の給紙装置における分離爪の昇降制御動作を説明するための説明図である。
【図１０】  本図を含む図９から図１１によって実施例の給紙装置における分離爪の昇降制御動作を説明するための説明図である。
【図１１】  本図を含む図９から図１１によって実施例の給紙装置における分離爪の昇降制御動作を説明するための説明図である。
【図１２】  従来の給紙装置における分離爪の用紙爪外れ状態を示す説明図である。
【図１３】  従来の給紙装置における用紙束のループ変形状態を示す説明図である。
【符号の説明】
１  給紙カセット
３  後端規制板
４  分離爪支持レバー
５  押上板
６  押上バネ
７  給紙ローラー軸
８  給紙ローラー
９  用紙上限規制コロ
１０  カム
１１  カムフォロワー付きレバー
１２  ねじりコイルバネ
１３  フラッパーソレノイド
１４  給紙欠歯ギヤ
１５、１３Ｓ  引張りコイルバネ
１６  本体２段ギヤ
１７  本体駆動ギヤ
１８  本体アイドルギヤ
１９  搬送ローラーギヤ
２０  搬送ローラー対
２２  用紙束
２Ａ、２Ｂ  サイド規制板
４Ａ、４Ｂ  分離爪
４Ｈ、１１Ｈ  軸
４Ｈ、１１Ｈ  支点
４Ｋ  突接子
１１Ｋ  水平ピン
１１Ｐ、１２Ｐ、１４Ｐ  ピン
１３Ｆ  フラッパー
１４Ｑ  段差部
【図１】
0004123731.tif 000002
【図２】
0004123731.tif 000003
【図３】
0004123731.tif 000004
【図４】
0004123731.tif 000005
【図５】
0004123731.tif 000006
【図６】
0004123731.tif 000007
【図７】
0004123731.tif 000008
【図８】
0004123731.tif 000009
【図９】
0004123731.tif 000010
【図１０】
0004123731.tif 000011
【図１１】
0004123731.tif 000012
【図１２】
0004123731.tif 000013
【図１３】
0004123731.tif 000014